【事件の表示】
　特許第３０２８５０７号「伸縮パネル」の請求項１に係る特許に対する特許異議の申立てについて、次のとおり決定する。
【結　論】
　訂正を認める。
　特許第３０２８５０７号の請求項１に係る特許を取り消す。
【理　由】
［手続の経緯］
　本件特許第３０２８５０７号の請求項１に係る発明についての出願は、平成７年９月１１日に特許出願され、平成１２年２月４日にその特許の設定登録がなされ、その後、その特許について理研軽金属工業株式会社より特許異議の申立がなされ、当審において取消理由通知がなされたところ、その指定期間内である平成１３年６月１１日に訂正請求がなされたものである。
　　　　　
　　　　　
［訂正の適否についての判断］
【１】訂正の内容
〔１〕訂正事項ａ
　特許請求の範囲の請求項１を、「【請求項１】目地部を介して建てられた左右の建物の目地部側の躯体に、両端部に取付けられた蝶番状の取付け金具によって取付けられた、所定間隔離間されて少なくとも２個以上取付けられた菱形形状が４個あるいは６個のパンタグラフ状の伸縮アームと、この２個以上の伸縮アームのほぼ中央部の枢支部にそれぞれ回動可能に取付けられたチャンネル状の中央目地板支持金具と、この中央目地板支持金具に支持され両側面でビス止め固定されるチャンネル状の中央目地板と、前記中央目地板支持金具が取付けられた部位の両側部の前記伸縮アームの中央枢支部に少なくとも１個以上取付けられたアングル状の側部目地板支持金具と、この側部目地板支持金具にそれぞれ外側側部がビス止め固定された内側側部の先端部が前記中央目地板にスライド可能に当接する断面クランク状の側部目地板と、前記伸縮アームの両端部に取付けられた前記外側部位の側部目地板をスライド可能に前記中央目地板方向に押し圧することができる固定目地板とを備えることを特徴とする伸縮パネル。」と訂正する。
　　　　　　
〔２〕訂正事項ｂ
　特許明細書の段落【０００６】を、「【課題を解決するための手段】上記目的を達成するために、本発明は目地部を介して建てられた左右の建物の目地部側の躯体に、両端部に取付けられた蝶番状の取付け金具によって取付けられた、所定間隔離間されて少なくとも２個以上取付けられた菱形形状が４個あるいは６個のパンタグラフ状の伸縮アームと、この２個以上の伸縮アームのほぼ中央部の枢支部にそれぞれ回動可能に取付けられたチャンネル状の中央目地板支持金具と、この中央目地板支持金具に支持され両側面でビス止め固定されるチャンネル状の中央目地板と、前記中央目地板支持金具が取付けられた部位の両側部の前記伸縮アームの中央枢支部に少なくとも１個以上取付けられたアングル状の側部目地板支持金具と、この側部目地板支持金具にそれぞれ外側側部がビス止め固定された内側側部の先端部が前記中央目地板にスライド可能に当接する断面クランク状の側部目地板と、前記伸縮アームの両端部に取付けられた前記外側部位の側部目地板をスライド可能に前記中央目地板方向に押し圧することができる固定目地板とで伸縮パネルを構成している。」と訂正する。
　　　　　　
〔３〕訂正事項ｃ
　特許明細書の段落【００２６】を、「（１）目地部を介して建てられた左右の建物の目地部側の躯体に、両端部に取付けられた蝶番状の取付け金具によって取付けられた、所定間隔離間されて少なくとも２個以上取付けられた菱形形状が４個あるいは６個のパンタグラフ状の伸縮アームと、この２個以上の伸縮アームのほぼ中央部の枢支部にそれぞれ回動可能に取付けられたチャンネル状の中央目地板支持金具と、この中央目地板支持金具に支持され両側面でビス止め固定されるチャンネル状の中央目地板と、前記中央目地板支持金具が取付けられた部位の両側部の前記伸縮アームの中央枢支部に少なくとも１個以上取付けられたアングル状の側部目地板支持金具と、この側部目地板支持金具にそれぞれ外側側部がビス止め固定された内側側部の先端部が前記中央目地板にスライド可能に当接する断面クランク状の側部目地板と、前記伸縮アームの両端部に取付けられた前記外側部位の側部目地板をスライド可能に前記中央目地板方向に押し圧することができる固定目地板とで構成されているので、左右の建物間の目地部の幅寸法が大きい壁部位にでも、目地板の幅寸法を大きくしなくても覆うことができ、目地板の輸送が容易で、取付け作業も楽に行なうことができる。」と訂正する。
　　　　　
　　　　　
【２】訂正の目的の適否、新規事項の有無および拡張・変更の存否
〔１〕訂正事項ａについて
　この訂正は、特許明細書の段落【０００９】【００２３】の記載及び図面の記載の範囲内において、特許請求の範囲の請求項１中の「両端部が目地部を介して建てられた左右の建物の目地部側の躯体に所定間隔離間されて少なくとも２個以上取付けられた菱形形状が４個あるいは６個のパンタグラフ状の伸縮アーム」を、「目地部を介して建てられた左右の建物の目地部側の躯体に、両端部に取付けられた蝶番状の取付け金具によって取付けられた、所定間隔離間されて少なくとも２個以上取付けられた菱形形状が４個あるいは６個のパンタグラフ状の伸縮アーム」として、その構成を限定しようとするものであり、特許請求の範囲の減縮を目的とするものであって、新規事項の追加に該当せず、実質上特許請求の範囲を拡張し又は変更するものではない。
　　　　　
〔２〕訂正事項ｂ，ｃについて
　これらの訂正は、上記訂正事項ａの訂正に伴い、それとの整合を図るために特許明細書の発明の詳細な説明の記載を訂正するものであり、明りょうでない記載の釈明を目的とするものであって、新規事項の追加に該当せず、実質上特許請求の範囲を拡張し又は変更するものではない。
　　　　　
　　　　　
【３】訂正の適否についてのまとめ
　以上のとおりであるから、特許明細書に対する本訂正は、特許法第１２０条の４第２項及び同条第３項において準用する特許法第１２６条第２項から第４項までの規定に適合するので、当該訂正を認める。
　　　　　
　　　　　
［特許異議申立について］
【１】請求項１に係る発明
　訂正後の請求項１に係る発明（以下、「本件発明」という）は、その特許請求の範囲の請求項１に記載された事項により特定される以下のとおりのものである。
　「【請求項１】目地部を介して建てられた左右の建物の目地部側の躯体に、両端部に取付けられた蝶番状の取付け金具によって取付けられた、所定間隔離間されて少なくとも２個以上取付けられた菱形形状が４個あるいは６個のパンタグラフ状の伸縮アームと、この２個以上の伸縮アームのほぼ中央部の枢支部にそれぞれ回動可能に取付けられたチャンネル状の中央目地板支持金具と、この中央目地板支持金具に支持され両側面でビス止め固定されるチャンネル状の中央目地板と、前記中央目地板支持金具が取付けられた部位の両側部の前記伸縮アームの中央枢支部に少なくとも１個以上取付けられたアングル状の側部目地板支持金具と、この側部目地板支持金具にそれぞれ外側側部がビス止め固定された内側側部の先端部が前記中央目地板にスライド可能に当接する断面クランク状の側部目地板と、前記伸縮アームの両端部に取付けられた前記外側部位の側部目地板をスライド可能に前記中央目地板方向に押し圧することができる固定目地板とを備えることを特徴とする伸縮パネル。」
　　　　　
　　　　　
【２】特許異議申立の理由の概要
　特許異議申立人・理研軽金属工業株式会社は、証拠方法として、甲第１号証〔実開平４−６８１０１号公報、但し、当審の取消理由通知の取消理由では、その出願当初の明細書の内容を示す、実願平２−１１１９１１号（実開平４−６８１０１号）のマイクロフィルム（以下、「刊行物１」という）を引用した）〕、甲第２号証〔特開平３−２０２５２６号公報（以下、「刊行物２」という）〕、及び、甲第３号証〔実願平７−３７０号（実開平７−４３６５７号）のＣＤ−ＲＯＭ（以下、「刊行物３」という）〕を提出し、本件発明は、甲第１〜３号証に記載された発明に基づき当業者が容易に発明をすることができたものであるから、特許法第２９条第２項の規定により特許を受けることができないものであり、本件発明に係る特許は、同法第１１３条第２項の規定により取り消されるべきものであると主張している。（尚、当審の取消理由通知書の取消理由は、特許異議申立人が提出した証拠方法と主張をほぼそのまま採用している。）
　　　　　
　　　　　
【３】特許法第２９条第２項の規定違反について
〔１〕各刊行物に記載された発明
（１）刊行物２〔特開平３−２０２５２６号公報〕には、以下の技術事項が記載されている。
（ア）「隣接する建築物の相互間に形成された目地を覆うものであって、隣接する建築物にそれぞれ回動可能に取付けられた支持基体と、４本のリンクを回動可能に連結して構成され、対向する角部を前記両支持基体に回動可能に連結した平行四節リンク機構と、両側を前記平行四節リンク機構の対向する２本のリンクに回動可能に連結するようにして平行配置された複数本の連結リンクと、これら連結リンクに該連結リンクの回動が可能なように連結支持され、互いに所定量重なり合うように配置されて前記両建築物間の目地を覆う複数枚のカバー板とを具備してなる建築物の目地カバー。」（特許請求の範囲）
（イ）「本発明・・・の目的は、一枚一枚のカバー板としては、製造コストの低い幅狭のものを使用できると共に、全体の幅寸法も小さくすることができる建築物の目地カバーを提供するにある。」（２頁右上欄１３〜１７行）
（ウ）「第１図において、１１及び１２は隣接する第１及び第２の建築物であり、それらの間には所定幅の目地１３が設けられている。１４及び１５は略Ｃ字状の嵌合部１４ａ及び１５ａを有した上下方向に長尺な第１及び第２のレール部材で、これらは、両建築物１１及び１２の側面に目地１３の近傍に位置するようにして固定されている。１６及び１７は左右両側に取付板部１６ａ，１６ｂ及び１７ａ，１７ｂを突設した上下に長尺な第１及び第２の支持基体で、これらは、基端の断面円形の支持部１６ｃ及び１７ｂｃを第１及び第２のレール部材１４及び１５の嵌合部１４ａ及び１５ａに回動可能に嵌合支持せしめている。さて、１８は平行四節リンク機構で、これは、・・・長さの等しい第１ないし第４のリンク１９ないし２２をピン２３により互いに回動可能に連結して構成されている。」（２頁右下欄５行〜３頁左上欄１行）
（エ）「３１は中央取付具で、これは、略コ字形の枢支部３１ａの左右両側に略Ｌ字形の取付部３１ｂ及び３１ｃを対称形に延設してなるもので、枢支部３１ａを・・・中央の連結リンク２６にその小孔３０に挿通されたピン３２を介して回動可能に連結支持されている。３３は略Ｌ字形の枢支部３３ａの右側に略Ｌ字形の取付部３３ｂを延設してなる右第１取付具、３４は・・・略Ｌ字形の枢支部３４ａの左側に略Ｌ字形の取付部３４ｂを延設してなる左第１取付具であり、・・・中央の連結リンク２６の左右両側の連結リンク２５及び２７にその小孔３０に挿通されたピン３５を介して回動可能に連結支持されている。３６は略Ｌ字形の枢支部３６ａの右側に略Ｌ字形の取付部３６ｂを延設してなる右第２取付具、３７は・・・略Ｌ字形の枢支部３７ａの左側に略Ｌ字形の取付部３７ｂを延設してなる左第２取付具であり、・・・最外側の連結リンク２４及び２８にその小孔３０に挿通されたピン３８を介して回動可能に連結支持されている。」（３頁右上欄５行〜同頁左下欄７行）
（オ）「３９は上下方向に長尺な中央カバー板で、これは、左右両側に略Ｌ字形の水切部３９ａ及び３９ｂを有しており、その両水切部３９ａ及び３９ｂを中央取付具３１の両取付部３１ｂ及び３１ｃにねじ４０により固定している。４１及び４２は上下方向に長尺な右第１カバー板及び左第１カバー板であり、これらは、左右両側に略Ｌ字形の水切部４１ａ，４１ｂ及び４２ａ，４２ｂを有している。そして、右第１カバー板４１は、左側半分を中央カバー板３９に所定量重ね合わせるようにして右側の水切部４１ａを右第１取付具３３の取付部３３ｂにねじ４３により固定している。また、左第１カバー板４２は、右側半分を中央カバー板３９に所定量重ね合わせるようにして左側の水切部４２ａを左第１取付具３４の取付部３４ｂにねじ４４により固定している。４５及び４６は上下方向に長尺な右第２カバー板及び左第２カバー板であり、これらも、左右両側に略Ｌ字形の水切部４５ａ，４５ｂ及び４６ａ，４６ｂを有している。そして、右第２カバー板４５は、左側半分を右第１カバー板４１に所定量重ね合わせるようにして右側の水切部４５ａを右第２取付具３６の取付部３６ｂにねじ４７により固定している。また、左第２カバー板４６は、右側半分を左第１カバー板４２に所定量重ね合わせるようにして左側の水切部４６ａを左第２取付具３７の取付部３７ｂにねじ４８により固定している。４９は上下方向に長尺な右第３カバー板で、これは、左右両側に略Ｌ字形の取付部４９ａ及び水切部４９ｂを有しており、左側半分を右第２カバー板４５に所定量重ね合わせるようにして取付部４９ａを第１の支持基体１６の取付板部１６ｂにねじ５０により固定している。５１は上下方向に長尺な左第３カバー板で、これは、・・・右左両側に略Ｌ字形の取付部５１ａ及び水切部５１ｂを有おり、右側半分を左第２カバー板４６に所定量重ね合わせるようにして取付部５１ａを第２の支持基体１７の取付板部１７ｂにねじ５２により固定している。なお、右第１カバー板４１の連結リンク２５への連結構成を第３図に示す。」（３頁左下欄８行〜４頁左上欄７行）
（カ）「このような各カバー板３９，４１，４２，４５，４６，４９，５１の外側或いは内側へのスライドによって、両建築物１１及び１２の横揺れが吸収される。」（４頁左下欄６〜９行）
　これら（ア）〜（カ）の記載及び図面の記載を含む刊行物２全体の記載からみて、刊行物２には、建築物の目地カバーに関して、以下の発明が記載されている。
　「目地１３を介して建てられた建築物１１及び１２の目地１３近傍の躯体側面に、両端部に取付けられた第１のレール部材１４及び第２のレール部材１５とそれらの嵌合部にそれぞれ基端の支持部を回動可能に嵌合支持せしめた第１の支持基体１６及び第２の支持基体１７によって取付けられた、所定間隔離間されて少なくとも２個以上取付けられた平行四節リンク機構１８からなるパンタグラフ状の伸縮アームと、この２個以上の伸縮アームの中央の連結リンク２６の小孔にそれぞれピンを介して回動可能に連結支持された略コ字形の枢支部の左右両側に略Ｌ字形の取付部を対称形に延設してなる中央取付具３１と、この中央取付具３１に支持され左右両側の略Ｌ字形の水切部を中央取付具３１の両取付部にねじにより固定される中央カバー板３９と、前記中央取付具３１が取付けられた中央の連結リンク２６の両側部の前記伸縮アームの左右両側の連結リンク２７、２８及び２５、２４の小孔に取付けられたそれぞれ略Ｌ字形の枢支部及び取付部を延設してなる左右第１取付具３４，３３、左右第２取付具３７，３６と、この左右第１取付具３４，３３、左右第２取付具３７，３６にそれぞれ外側の略Ｌ字形の水切部がねじにより固定された内側の略Ｌ字形の水切部の先端部が前記中央カバー板３９にスライド可能に重ね合わされる左右第１カバー板４２，４１、左右第２カバー板４６，４５と、前記伸縮アームの両端部に取付けられた前記外側部位の左右第１カバー板４２，４１、左右第２カバー板４６，４５とスライド可能に重ね合わされる左右第３カバー板５１，４９とを備える建築物の目地カバー。」 
　　　　　
（２）刊行物１〔実願平２−１１１９１１号（実開平４−６８１０１号）のマイクロフィルム〕には、実用新案登録請求の範囲、１頁１６行〜２頁５行、３頁１２行〜４頁１２行、６頁２〜１９行の記載及び図面の記載を含む刊行物１全体の記載からみて、２つの躯体相互間に設けられ躯体が相互に大きな変位量で地震などによって変位したときその変位を許容することができる伸縮継手装置に関して、以下の技術事項が記載されている。
　建造物である躯体２，３にそれぞれ固定した縁材５とパンタグラフ４とをヒンジ６により連結し、パンタグラフ４に止水板６７，６８を固定してなる躯体２，３間に配置する伸縮継手装置１において、ヒンジ６は、縁材５に固定した取付片４０にボルト４６を用いて結合するヒンジ片４４と、このヒンジ片４４にヒンジピン５０によって角変位可能に連結するヒンジ片４９とからなり、また、パンタグラフ４は、複数のピン８，８ａ，９，１１を用いて複数のリンク７，１０を枢支すると共に、ピン８に止水板６７，６８を支持固定し、躯体２，３間の目地部の寸法変動にリンク７，１０及び止水板６７，６８を追従可能としたこと。
　　　　　
（３）刊行物３〔実願平７−３７０号（実開平７−４３６５７号）のＣＤ−ＲＯＭ〕には、実用新案登録請求の範囲、段落【０００１】，【０００８】，【００１４】，【００１７】，【００１８】，【００２２】の記載及び図面の記載を含む刊行物３全体の記載からみて、建築構造物の躯体の相互間の隙間を塞ぎかつ地震や地盤の不等沈下および建築構造物の膨張収縮などの変化を許容することができる伸縮継手装置に関して、以下の技術事項が記載されている。
　建築構造物である躯体１，１ａの間隔２に臨む内面４，４ａにそれぞれ固定したブラケット７１，７１ａに、リンク７７〜８２がボルト８３〜８５によってピン結合して菱形形状を複数個形成してなるリンク手段７６を、ボルト８６，８７によってピン結合し、また、躯体１，１ａの間隔２に臨む内面４，４ａにそれぞれ固定した縁材５７，５７ａに、カバー部材５８の外側端部を固定してなる躯体１，１ａ間に配置する伸縮継手装置３において、ボルト８４の外部側一端部に設けた連結部材９３によりカバー部材５８の内側端部を固定し、また、躯体１，１ａの間隔２が大きい場合には、カバー部材５８の数に合わせて菱形形状の数を増加（図６において、連結部材９３が３個であればボルト８４も３本であるから、菱形形状は４個である）させた前記リンク手段７６と類似の構成を有するリンク手段１１２を用いること。
　　　　　
〔２〕本件発明と刊行物２に記載された発明との対比・判断
（１）本件発明と刊行物２に記載された発明との対比
　刊行物２に記載された発明の「目地１３」，「建築物１１及び１２」，「第１のレール部材１４及び第２のレール部材１５とそれらの嵌合部にそれぞれ基端の支持部を回動可能に嵌合支持せしめた第１の支持基体１６及び第２の支持基体１７」，「左右第３カバー板５１，４９」及び「建築物の目地カバー」は、本件発明の「目地部」，「左右の建物」，「蝶番状の取付け金具」，「固定目地板」及び「伸縮パネル」にそれぞれ対応し、
　また、刊行物２に記載された発明の「伸縮アームの中央の連結リンク２６の小孔」，「小孔にそれぞれピンを介して回動可能に連結支持された」及び「略コ字形の枢支部の左右両側に略Ｌ字形の取付部を対称形に延設してなる中央取付具３１」は、本件発明の「伸縮アームのほぼ中央部の枢支部」，「枢支部にそれぞれ回動可能に取付けられた」及び「チャンネル状の中央目地板支持金具」にそれぞれ対応し、
　また、刊行物２に記載された発明の「左右両側の略Ｌ字形の水切部を中央取付具３１の両取付部にねじにより固定される中央カバー板３９」及び「中央取付具３１が取付けられた中央の連結リンク２６」，「連結リンク２６の両側部の伸縮アームの左右両側の連結リンク２７、２８及び２５、２４の小孔」は、本件発明の「両側面でビス止め固定されるチャンネル状の中央目地板」，「中央目地板支持金具が取付けられた部位」及び「部位の両側部の伸縮アームの中央枢支部」にそれぞれ対応し、
　さらに、刊行物２に記載された発明の「それぞれ略Ｌ字形の枢支部及び取付部を延設してなる左右第１取付具３４，３３、左右第２取付具３７，３６」，「外側の略Ｌ字形の水切部及び内側の略Ｌ字形の水切部を設けた左右第１カバー板４２，４１、左右第２カバー板４６，４５」及び「外側の略Ｌ字形の水切部がねじにより固定された内側の略Ｌ字形の水切部」は、本件発明の「少なくとも１個以上取付けられたアングル状の側部目地板支持金具」，「断面クランク状の側部目地板」及び「外側側部がビス止め固定された内側側部の先端部」にそれぞれ対応するから、本件発明と刊行物２に記載された発明とは、
　「目地部を介して建てられた左右の建物の目地部近傍の躯体に、両端部に取付けられた蝶番状の取付け金具によって取付けられた、所定間隔離間されて少なくとも２個以上取付けられたパンタグラフ状の伸縮アームと、この２個以上の伸縮アームのほぼ中央部の枢支部にそれぞれ回動可能に取付けられたチャンネル状の中央目地板支持金具と、この中央目地板支持金具に支持され両側面でビス止め固定されるチャンネル状の中央目地板と、前記中央目地板支持金具が取付けられた部位の両側部の前記伸縮アームの中央枢支部に少なくとも１個以上取付けられたアングル状の側部目地板支持金具と、この側部目地板支持金具にそれぞれ外側側部がビス止め固定された内側側部の先端部が前記中央目地板にスライド可能に重ね合わされる断面クランク状の側部目地板と、前記伸縮アームの両端部に取付けられた前記外側部位の側部目地板とスライド可能に重ね合わされる固定目地板とを備える伸縮パネル。」の点で構成が一致し、以下の点で構成が相違する。
〈相違点１〉
　伸縮アームを取り付ける目地部近傍の躯体の位置に関して、本件発明が、躯体の「目地部側」であるのに対して、刊行物２に記載された発明では、躯体の側面である点。
〈相違点２〉
　パンタグラフ状の伸縮アームに関して、本件発明が、「菱形形状が４個あるいは６個」 の構造のものであるのに対して、刊行物２に記載された発明では、平行四節リンク構造のものである点。
〈相違点３〉
　断面クランク状の側部目地板に関して、本件発明が、その「内側側部の先端部が中央目地板にスライド可能に当接する」 ものであるのに対して、刊行物２に記載された発明では、側部目地板（左右第１カバー板４２，４１、左右第２カバー板４６，４５）が、その内側側部の先端部が中央目地板（中央カバー板３９）にスライド可能に重ね合わされるものの、当接して重ね合わされるのか否か定かでない点。
〈相違点４〉
　固定目地板に関して、本件発明が、「伸縮アームの両端部に取付けられた外側部位の側部目地板をスライド可能に中央目地板方向に押し圧することができる」ものであるのに対して、刊行物２に記載された発明では、固定目地板（左右第３カバー板５１，４９）が、伸縮アームの両端部に取付けられた側部目地板（左右第１カバー板４２，４１、左右第２カバー板４６，４５）とスライド可能に重ね合わされるものの、前者が後者を中央目地板（中央カバー板３９）方向に押し圧することができるように重ね合わされるものであるのか否か定かでない点。
　　　　
（２）構成の相違点についての検討
〈相違点１について〉
　建物の躯体相互間に設けられて隙間を塞ぎ且つ躯体が相互に大きく変位したときその変位を許容することができる伸縮継手装置の技術分野において、伸縮アームを左右の建物の躯体の目地部側に取り付けることは、刊行物１，３に記載され、また、後述の周知例である、実願平１−１４４２９０号（実開平３−８２７０５号）のマイクロフィルム、実願平３−１０８１６６号（実開平５−６７７０９号）のＣＤ−ＲＯＭ等に記載されているように従来周知であるから、本件発明の当該相違点１についての構成は、上記刊行物１，３に記載された技術及び上記各周知例に記載された周知技術から当業者が容易に想到し得たものと認められる。
〈相違点２について〉
　同上、伸縮継手装置の技術分野において、パンタグラフ状の伸縮アームとして、菱形形状を複数個形成してなるものを用いることは、刊行物１，３に記載されており、しかも、刊行物３には、その図６に、菱形形状の数を４個としたリンク手段１１２を用いることが開示され、これは、本件発明の「菱形形状が４個あるいは６個のパンタグラフ状の伸縮アーム」に相当する。
　また、菱形形状の数を増加してその数を適宜数に設定することは、当業者が必要に応じて随時採用する程度の設計的事項と認められるから、本件発明の当該相違点２についての構成は、刊行物１，３に記載された技術から当業者が容易に想到し得たものと認められる。
〈相違点３について〉
　同上、伸縮継手装置の技術分野において、中央或いは内側の目地板に対してその外側の目地板の内側側部の先端部をスライド可能に当接することは、例えば、当審の取消理由通知の取消理由で示した、実願昭５９−８７２８１号（実開昭６１−１５１６号）のマイクロフィルム、実願平１−１４４２９０号（実開平３−８２７０５号）のマイクロフィルム、実願平３−１０８１６６号（実開平５−６７７０９号）のＣＤ−ＲＯＭ等に記載されているように従来周知であるから、本件発明の当該相違点３についての構成は、上記各周知例に記載された周知技術から当業者が容易に想到し得たものと認められる。（尚、各周知例において、「摺動」は、スライド可能に当接することと技術的にみてほぼ同義である。）
〈相違点４について〉
　同上、伸縮継手装置の技術分野において、外側の目地板に対してその外側の固定目地板をスライド可能に中央目地板方向に押し圧することは、例えば、上記〈相違点３について〉の項で示した各周知例等に記載されているように従来周知であるから、本件発明の当該相違点４についての構成は、上記各周知例に記載された周知技術から当業者が容易に想到し得たものと認められる。（尚、各周知例において、「摺動」は、スライド可能に押し圧することと技術的にみてほぼ同義である。）
　　　　　
（３）まとめ
　そして、本件発明に係る構成によって奏し得る効果も、刊行物２に記載された発明並びに刊行物１，３に記載された技術及び上記周知例等に記載された従来周知技術に固有の機能に基づき普通に予測できる範囲内のものであって、格別なものがあるとは認められないから、本件発明は、刊行物２に記載された発明並びに刊行物１，３に記載された技術及び従来周知技術に基づいて当業者が容易に発明できたものであり、特許法第２９条第２項の規定により特許を受けることができない。
　　　　　
　　　　　
【５】むすび
　以上のとおりであるから、本件発明に係る特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年９月６日（２００１．９．６）
【訂正の要旨】
審決（決定）の【理由】欄参照。
（５４）【発明の名称】
伸縮パネル
（５７）【特許請求の範囲】
　【請求項１】　目地部を介して建てられた左右の建物の目地部側の躯体に、両端部に取付けられた蝶番状の取付け金具によって取付けられた、所定間隔離間されて少なくとも２個以上取付けられた菱形形状が４個あるいは６個のパンタグラフ状の伸縮アームと、この２個以上の伸縮アームのほぼ中央部の枢支部にそれぞれ回動可能に取付けられたチャンネル状の中央目地板支持金具と、この中央目地板支持金具に支持され両側面でビス止め固定されるチャンネル状の中央目地板と、前記中央目地板支持金具が取付けられた部位の両側部の前記伸縮アームの中央枢支部に少なくとも１個以上取付けられたアングル状の側部目地板支持金具と、この側部目地板支持金具にそれぞれ外側側部がビス止め固定された内側側部の先端部が前記中央目地板にスライド可能に当接する断面クランク状の側部目地板と、前記伸縮アームの両端部に取付けられた前記外側部位の側部目地板をスライド可能に前記中央目地板方向に押し圧することができる固定目地板とを備えることを特徴とする伸縮パネル。
【発明の詳細な説明】
　【０００１】
　【発明の属する技術分野】
　本発明は目地部を介して建てられた左右の建物の壁面部位の目地部を覆う伸縮パネルに関する。
　【０００２】
　【従来の技術】
　従来、この種の伸縮パネルは一方の建物の躯体に取付けられた固定金具に回動可能に一方の目地板を取付けるとともに、他方の建物の躯体に取付けられた固定金具に回動可能でかつ前記一方の目地板と先端部がスライド可能に重なり合う他方の目地板と、前記前面に位置する目地板が取付けられた固定金具に所定間隔で取付けられた後面に位置する目地板を該前面の目地板とで挟んでスライド可能に支持する複数個の支持金具とで構成されている。
　【０００３】
　【発明が解決しようとする課題】
　従来の伸縮パネルは左右の建物に固定金具を介して取付けられた左右の目地板の先端部をスライド可能に重ね合せているため、左右の目地板の幅寸法を大きくすると重くなり、取付けに苦労するとともに、固定金具や支持金具を強固並なものにしなければならないという欠点があるため、小さな幅寸法の目地部にしか設置することができないという欠点があった。
　【０００４】
　本発明は以上のような従来の欠点に鑑み、取付け作業が容易で、大きな目地部の幅寸法の壁部位にでも、伸縮可能に目地部を覆うように取付けることができる伸縮パネルを提供することを目的としている。
　【０００５】
　本発明の前記ならびにそのほかの目的と新規な特徴は次の説明を添付図面と照し合せて読むと、より完全に明らかになるであろう。
　ただし、図面はもっぱら解説のためのものであって、本発明の技術的範囲を限定するものではない。
　【０００６】
　【課題を解決するための手段】
　上記目的を構成するために、本発明は目地部を介して建てられた左右の建物の目地部側の躯体に、両端部に取付けられた蝶番状の取付け金具によって取付けられた、所定間隔離間されて少なくとも２個以上取付けられた菱形形状が４個あるいは６個のパンタグラフ状の伸縮アームと、この２個以上の伸縮アームのほぼ中央部の枢支部にそれぞれ回動可能に取付けられたチャンネル状の中央目地板支持金具と、この中央目地板支持金具に支持され両側面でビス止め固定されるチャンネル状の中央目地板と、前記中央目地板支持金具が取付けられた部位の両側部の前記伸縮アームの中央枢支部に少なくとも１個以上取付けられたアングル状の側部目地板支持金具と、この側部目地板支持金具にそれぞれ外側側部がビス止め固定された内側側部の先端部が前記中央目地板にスライド可能に当接する断面クランク状の側部目地板と、前記伸縮アームの両端部に取付けられた前記外側部位の側部目地板をスライド可能に前記中央目地板方向に押し圧することができる固定目地板とで伸縮パネルを構成している。
　【０００７】
　【発明の実施の形態】
　以下、図面に示す実施の形態により、本発明を詳細に説明する。
　【０００８】
　図１ないし図１８の本発明の第１の実施の形態において、１は目地部２を介して建てられた左右の建物３、３の壁面部位の目地部２を覆う本発明の伸縮パネルで、この伸縮パネル１は両端部が前記左右の建物３、３の目地部２側の躯体３ａ、３ａに所定間隔離間されて少なくとも２個以上取付けられた菱形形状が６個できるパンタグラフ状の伸縮アーム４と、これらの伸縮アーム４のほぼ中央部に中央目地板支持金具５を用いて回動可能に取付けられた中央目地板６と、この中央目地板６の両側部を覆うように少なくとも１個以上、本実施の形態では左右の２個の側部目地板支持金具７、７、７Ａ、７Ａを用いて回動可能に取付けられた左右の２個の側部目地板８、８、８、８と、前記伸縮アーム４の両端部に取付けられた固定金具９、９に取付けられた前記外側部位の側部目地板８、８をスライド可能に前記中央目地板６方向に押し圧することができる固定目地板１０、１０とで構成されている。
　【０００９】
　前記伸縮アーム４は図４に示すように、菱形形状が６個できるように形成されたボルト状の中央枢支ピン１１、１１、１１、１１を有するパンタグラフ状の伸縮アーム本体１２と、この伸縮フーム本体１２の両端部に枢支ピン１３、１３によって回動可能に取付けられた躯体３ａ、３ａに複数本のビス１４、１４によって固定される蝶番状の取付け金具１５、１５とで構成されている。
　【００１０】
　前記中央目地板支持金具５は図５に示すように、アルミ、アルミ合金あるいはステンレス材を断面チャンネル状に形成された中央目地板支持金具本体１６と、この中央目地板支持金具本体１６の中央部に凹部１７を形成し、その中央部に形成した前記伸縮アーム本体１２の中央部の枢支ピン１３が挿入される枢支ピン挿入孔１８とで形成されている。
　【００１１】
　前記中央目地板６は図６に示すように、前記中央目地板支持金具５に支持されるアルミ、アルミ合金、ステンレス材で断面チャンネル状に形成され、該中央目地板６の両側板６ａ、６ａと前記中央目地板支持金具５の両側位置５ａ、５ａとはビス１９、１９によって固定される。
　【００１２】
　前記側部目地板支持金具７、７Ａは図７および図８に示すように、アルミ、アルミ合金、ステンレス材で先端部に前記伸縮アーム本体１２の中央枢支ピン１１が挿入される枢支ピン挿入孔２０が形成された取付け板２１と、この取付け板２１の後端部と一体に形成された支持板２２とをアングル状に形成されたもので、中央部側に取付けられる側部目地板支持金具７の支持板２２の高さ寸法よりも外側に取付けられる側部目地板支持金具７Ａの支持板２２の高さ寸法が大きくなるように形成されている。
　【００１３】
　前記側部目地板８は図９に示すように、アルミ、アルミ合金、ステンレス材でクランク状に曲げ加工されたものが使用されている。
　【００１４】
　前記固定目地板１０は図１０に示すように、アルミ、アルミ合金、ステンレス材でチャンネル状に形成された固定目地板本体２３と、この固定目地板本体２３の一方の側面板２３ａの先端部に外方へ突出する取付け板２４とで構成されている。
　【００１５】
　上記構成の伸縮パネル１は左右の建物３、３の前面よりも内側部位の目地部２の躯体３ａ、３ａ部分に、図１１に示すように伸縮アーム４の取付け金具１５、１５を複数本のビス１４によって固定する。このように取付けられた伸縮アーム４の上部あるいは下部に所定間隔離間させて同様に伸縮アーム４を取付ける。
　【００１６】
　次に、図１２に示すように伸縮アーム４の中央部のボルト状の中央枢支ピン１１に中央目地板支持金具５の枢支ピン挿入孔１８に挿入し、枢支ピン１１にナット２５、２５を取付け、中央目地板支持金具５を回動可能に取付ける。
　【００１７】
　しかる後、中央目地板支持金具５、５に図１３に示すように中央目地板６を支持させ、該中央目地板支持金具５、５の側板５ａ、５ａと中央目地板６の側板６ａ、６ａとをビス１９、１９によって固定する。
　【００１８】
　次に、中央部の中央枢支ピン１１の両側部位の中央枢支ピン１１、１１に、図１４に示すように側部目地板支持金具７、７を取付ける。この時、側部目地板支持金具７、７と伸縮アーム本体１２との間に外方に取付ける側部目地板支持金具７Ａ、７Ａと干渉しないように隙間を設けて取付け、図１５に示すように側部目地板支持金具７、７の支持板２２、２２の先端部に複数本のビス２６によって、先端部が中央目地板６に当接するように側部目地板８、８に取付ける。
　【００１９】
　同様に、前述した側部目地板８、８の外側部位に、図１６に示すように側部目地板支持金具７Ａ、７Ａを取付け、図１７に示すように側部目地板支持金具７Ａ、７Ａの支持板２２、２２の先端部に複数本のビス２６、２６によって先端部が側部目地板８、８にそれぞれ当接するように側部目地板８、８を取付ける。
　【００２０】
　次に図１８に示すように伸縮アーム本体１２の両端部に固定金具９、９を取付け、該固定金具９、９に複数本のビス２７によって先端部が外側部位の側部目地板８、８にそれぞれ当接するように固定目地板１０、１０を取付け、該固定目地板１０、１０の取付け部位と躯体３ａ、３ａとの間にシール剤２８、２８を充填する。
　【００２１】
　上記構成の伸縮パネル１は、左右の建物３、３が地震等で上下・左右・前後方向に揺れ動いても、伸縮アーム４、４が伸縮して左右方向の揺れ動きを吸収するとともに、伸縮アーム本体１２と蝶番状の取付け金具１５、１５とが枢支ピン１３、１３で取付けられているため、上下・前後方向の揺れ動きを吸収する。
　また、中央目地板６、側部目地板８、８、８、８および固定目地板１０、１０とは上下・左右方向にスライド移動し、その動きを吸収する。
　【００２２】
　【発明の異なる実施の形態】
　次に図１９ないし図２４に示す本発明の異なる実施の形態につき説明する。なお、これらの本発明の異なる実施の形態の説明に当って、前記本発明の第１の実施の形態と同一構成部分には同一符号を付して重複する説明を省略する。
　【００２３】
　図１９ないし図２１の本発明の第２の実施の形態において、前記本発明の第１の実施の形態と主に異なる点は、菱形形状が４個できるパンタグラフ状の伸縮アーム４を用いるとともに、中央目地板６と固定目地板１０、１０との間にそれぞれ１個の側部目地板８、８を配置した点で、このように構成した伸縮パネル１Ａにしても、前記本発明の第１の実施の形態と同様な作用効果が得られる。
　【００２４】
　図２２ないし図２４の本発明の第３の実施の形態において、前記本発明の第１の実施の形態と主に異なる点は、伸縮アーム４Ａの取付け金具１５Ａ、１５Ａに固定金具９、９を一体成形した点で、このように形成した伸縮アーム４Ａを用いた構成した伸縮パネル１Ｂにしても、前記本発明の第１の実施の形態と同様な作用効果が得られるとともに、前後方向の揺れ動きにも十分に対応することができる。
　【００２５】
　【発明の効果】
　以上の説明から明らかなように、本発明にあっては次に列挙する効果が得られる。
　【００２６】
（１）　目地部を介して建てられた左右の建物の目地部側の躯体に、両端部に取付けられた蝶番状の取付け金具によって取付けられた、所定間隔離間されて少なくとも２個以上取付けられた菱形形状が４個あるいは６個のパンタグラフ状の伸縮アームと、この２個以上の伸縮アームのほぼ中央部の枢支部にそれぞれ回動可能に取付けられたチャンネル状の中央目地板支持金具と、この中央目地板支持金具に支持され両側面でビス止め固定されるチャンネル状の中央目地板と、前記中央目地板支持金具が取付けられた部位の両側部の前記伸縮アームの中央枢支部に少なくとも１個以上取付けられたアングル状の側部目地板支持金具と、この側部目地板支持金具にそれぞれ外側側部がビス止め固定された内側側部の先端部が前記中央目地板にスライド可能に当接する断面クランク状の側部目地板と、前記伸縮アームの両端部に取付けられた前記外側部位の側部目地板をスライド可能に前記中央目地板方向に押し圧することができる固定目地板とで構成されているので、左右の建物間の目地部の幅寸法が大きい壁部位にでも、目地板の幅寸法を大きくしなくても覆うことができ、目地板の輸送が容易で、取付け作業も楽に行なうことができる。
　【００２７】
（２）前記（１）によって、左右の建物が地震等によって前後・上下・左右方向に揺れ動いても、その揺れ動きを吸収することができ、損傷を防止して、長期間使用することができる。
　【００２８】
（３）前記（１）によって、伸縮アームに中央目地板、側部目地板、固定目地板を取付けておき、現場で左右の建物に取付けることもでき、取付け方法を選択使用することができる。
　【００２９】
（４）前記（１）によって、菱形形状が４個あるいは６個のパンタグラフ状の伸縮アームを用いているので、目地部が狭くなる方向に収縮しても菱形形状が１個や２個のものよりも上下方向に幅寸法をとらず大きく突出しないので、左右の建物間の目地部の幅寸法が大きい壁部位であっても上下方向に複数の伸縮アームを用いることができる。
　したがって、目地板を上下方向に複数配設される伸縮アームに取付けるので、左右の建物間の目地部の幅寸法が大きい壁部位であっても目地板の取付け強度を充分に保つことができ、耐久性のある伸縮パネルを設置することができる。
【図面の簡単な説明】
　【図１】本発明の第１の実施の形態を示す断面図。
　【図２】本発明の第１の実施の形態を示す正面図。
　【図３】本発明の第１の実施の形態を示す背面図。
　【図４】本発明の第１の実施の形態を示す伸縮アームの説明図。
　【図５】本発明の第１の実施の形態を示す中央目地板支持金具の説明図。
　【図６】本発明の第１の実施の形態を示す中央目地板の説明図。
　【図７】本発明の第１の実施の形態の側部目地板支持金具の説明図。
　【図８】本発明の第１の実施の形態の側部目地板支持金具の説明図。
　【図９】本発明の第１の実施の形態の側部目地板の説明図。
　【図１０】本発明の第１の実施の形態の固定目地板の説明図。
　【図１１】伸縮アームの取付け状態の説明図。
　【図１２】中央目地板支持金具の取付け状態の説明図。
　【図１３】中央目地板の取付け状態の説明図。
　【図１４】側部目地板支持金具の取付け状態の説明図。
　【図１５】側部目地板の取付け状態の説明図。
　【図１６】外側の側部目地板支持金具の取付け状態の説明図。
　【図１７】外側の側部目地板支持金具の取付け状態の説明図。
　【図１８】固定目地板の取付け状態の説明図。
　【図１９】本発明の第２の実施の形態の断面図。
　【図２０】本発明の第２の実施の形態の正面図。
　【図２１】本発明の第２の実施の形態の背面図。
　【図２２】本発明の第３の実施の形態の断面図。
　【図２３】本発明の第３の実施の形態の正面図。
　【図２４】本発明の第３の実施の形態の要部拡大断面図。
　【符号の説明】
　１、１Ａ、１Ｂ：伸縮パネル、　２：目地部、
　３：建物、　　　　　　　　　　４、４Ａ：伸縮アーム、
　５：中央目地板支持金具、　　　６：中央目地板、
　７、７Ａ：側部目地板支持金具、８：側部目地板、
　９：固定金具、　　　　　　　　１０：固定目地板、
　１１：中央枢支ピン、　　　　　１２：伸縮アーム本体、
　１３：枢支ピン、　　　　　　　１４：ビス、
　１５、１５Ａ：取付け金具、　　１６：中央目地板支持金具本体、
　１７：凹部、　　　　　　　　　１８：枢支ピン挿入孔、
　１９：ビス、　　　　　　　　　２０：枢支ピン挿入孔、
　２１：取付け板、　　　　　　　２２：支持板、
　２３：固定目地板本体、　　　　２４：取付け板、
　２５：ナット、　　　　　　　　２６：ビス、
　２７：ビス、　　　　　　　　　２８：シール剤。